(57)【要約】      （修正有）【課題】楽に安全で、釣る技術の必要なく、複数一度に釣れ、撒き餌も省力化出来、大型鰹が来ても一人で釣ることを可能にした半自動鰹釣機の提供。【解決手段】架台１に駆動モーター２と竿４を取り付け、竿の両側に道糸７、７ｂを竿先リール６を介して張り道糸にはハリス取り付けフック１０、１０ｂ、を取り付ける、その他釣り上げリール８、８ｂスイッチ１２、１２ｂガイドリール１４、１４ｂを備える。ハリス２０、２０ｂに餌鰯を付けハリス取り付けフック１０，１０ｂにハリスを掛け海面に下ろし鰹が掛かれば駆動モーター２で上げる。掛かった鰹はハリスごとハリス外しフック９、９ｂで外し船の中え落とす、二つのハリス取り付けフックを交互に上げ下げして釣る。ハリスは複数掛けることも可能である。【選択図】図１
2005204640.tif 000002
【特許請求の範囲】
【請求項１】
架台（１）に駆動モーター（２）と竿（４）とハリス外しフック（９、９ｂ）を備え、竿（４）の両側に道糸（７、７ｂ）を竿先リール（６）釣り上げリール（８、８ｂ）、ガイドリール（１４、１４ｂ）を介してモータードラム（３）まで張る、前記道糸（７、７ｂ）へハリス取付けフック（１０、１０ｂ）を設けた半自動鰹釣機。
【請求項２】
請求項１記載のハリス取付けフック（１０、１０ｂ、）とハリス外しフック（９、９ｂ）、ハリス（２０、２０ｂ）を取り付け取り外しを容易にした構造。
【請求項３】
架台（１）から張り出した釣り上げリール（８、８ｂ）、ハリス（２０、２０ｂ）が自動的にリールから外れる構造。
【請求項４】
竿先リール（６）を付けた折り畳み式竿（４）。
【発明の詳細な説明】
【発明の詳細な説明】
【技術分野】
【０００１】  本発明は、釣り人が座れる架台を設置し駆動モーターと固定した竿を取付け、竿に沿って道糸を両側に張り、その道糸へハリス取付けフックを設けハリスを掛け巻き上げ巻き下ろしを交互に操作し鰹を釣り上げハリスを自動的に外す半自動鰹釣機並びにその製造方法。
【背景技術】
【０００２】  従来鰹一本釣漁は船縁に釣り人が立ち撒き餌を施し竿に擬似餌を付け一匹づつ釣り揚げていた。
【発明が解決しようとする課題】
【０００３】  従来の鰹一本釣漁は鰹が掛かれば海面から船の上まで人の力で一匹づつ釣り揚げていた、釣り人が装備をし船縁に立ち足場の悪い場所での作業は労働が激しいそのため釣り人も若い者に限られる、少し大物になれば重いので二人で一匹づつ釣らなけれらない効率の悪い点があった、疑似餌を使用すると食いつきが悪く撒き餌を多く使用しなければならない並びに疑似餌の微妙な品質の差、釣り人の疑似餌を使う技術により釣り揚げに個人差が大きく出る、釣る事に労働を要し釣り揚げた鰹の後始末が粗末になる問題点があった。
【０００４】  本発明は、架台の上に座って釣り安全で楽に釣ることが出来一度に複数釣ることも可能にし、撒き餌を餌にして釣るので食いつきが良く釣り人の技術の差が出ない並びに撒き餌も少なく済み誰でも鰹釣りが出来、疲労がないので釣り揚げた鰹の後始末も楽に出きる機械の製造を目的とする。
【課題を解決するための手段】
【０００５】  上記課題を解決するために本発明の半自動鰹釣機は、駆動モーター、固定した竿、ハリス外しフック、スイッチ、各種ガイドリール、を備えた架台を釣場所に設置し、道糸を竿の両側に竿先リール釣り上げリール、ガイドリールを介してモータードラムまで張り、道糸へハリス取付けフックを設け、ハリスを掛け駆動モーターで巻き上げ巻き下ろしを交互に操作するものである。
【０００６】  そして、釣り人は架台の上に腰掛けハリスに餌を付けハリス取り付けフックにハリスを掛け下へ降ろす段取りをする、海面に降ろしている片方のハリスに鰹が掛かれば巻き上げのスイッチをいれると段取りしたハリスが海面に降りる、操作のみとし釣り揚げた鰹はハリス取り付けフックが下へ降ると同時に自動的にハリス外しフックに掛かり船の中へハリスごと落す作業。
【０００７】  ハリスは多く段取りしてハリス入れに入れ架台に備える、餌入れはハリスの近い箇所に設ける必要がある。
【０００８】  また、鰹の動きの早いことを利用しハリス取り付けフックへハリスを複数付けることを可能にし一回の釣り上げで複数釣り揚げる。
【０００９】  さらに、ハリスに付けた餌の鰯が鰹を釣り上げた時、釣り針から外れ常時切れ目無く効率良く海に落ち撒き餌の代わりをする。
【００１０】  上記のように構成された半自動鰹釣機は架台を作製する事により駆動モーター、竿、道糸、ハリス取り付けフックその他の部品を備え自動的に安全で楽に鰹漁が出来る。
【発明を実施するための最良の形態】
【００１１】  発明の実施の形態を実施例にもとづき図面を参照して説明する。
図１、２、３、は架台１の上に装備した機具と鰹２８を釣り揚げ片側ｂへ餌鰯２７をハリス２０ｂに付け海面２６に降ろした状態である、架台１は軽量鉄パイプその他の材料で、釣り上げリール８、８ｂを左右に付けた型を作製し、モータードラム３を付けた駆動モーター２を据る、竿先リール６を付けた折り畳み式竿４をピン１５で架台１前側脚へ取り付ける、竿の上下調整は竿止めステー１６と竿止めフック１７で行なう上部にスイッチフック１１、１１ｂスイッチ１２、１２ｂスイッチフックケース１３、１３ｂガイドリール１４、１４ｂを装備する。竿４の両側に沿って道糸７、７ｂを竿先リール６を介して張りその両端を前記装備した部品を介しモータードラム３に固着する。ハリス取り付けフック１０，１０ｂ（図９参照）の取り付け位置は張った道糸７、７ｂへ上下対称の位置に付ける。ハリス外しフック９、９ｂをスイッチ前に設ける（図４、５参照）。餌入れ１９、ハリス入れ２３は架台上部に設ける。【００１２】  上記架台１は船縁２１と床２５へボルトで取付ける、取付け部は船の傾きに合わせ調整が出来る構造とする、釣り人は腰掛け２４に腰掛け機械を操作する、以下操作手順。【００１３】  第一手順竿４を延ばしハリス２０ｂ（図１２参照）に餌鰯２７を付けハリス取り付けフック１０ｂへ掛ける（図９参照）ハリスガイド１８ｂへハリス２０ｂを掛け海面２６まで降ろす段取をする。
第二手順スイッチ１２を入れると下にあるハリス取り付けフック１０が上がるスイッチフック１１を押しスイッチ１２を切り停止する、と同時にハリス取り付けフック１０ｂが海面２６へ下がる。
第三手順上がったハリス取付けフック１０へ、ハリス２０に餌鰯を付けたハリスを掛け、その端をハリスガイド１８へ掛け海面まで降ろす段取りをする。
第四手順ハリス２０ｂに鰹が掛かればスイッチ１２ｂを入れハリス取り付けフック１０ｂを上げると同時にハリス取り付けフック１０が海面へ下がる。
第五手順ハリス２０ｂに掛かった鰹は釣り上げリール８ｂから自動的に落ち（図６参照）スイッチフック１１ｂで止まる、鰹の掛かったハリス２０ｂはハリス取り付けフック１０ｂへ新しいハリス（図９参照）をかけ海面まで降ろす段取りをする、ハリス２０に鰹が掛かればスイッチ１２を入れ上げると同時にハリス取り付けフック１０ｂが海面へ下がりハリス外しフック９ｂにハリス２０ｂが掛かりハリス取り付けフック１０ｂから外れ鰹と共に船中に落ちる（図９参照）操作はこの繰り返しである。【００１４】  図４は架台上部平面図釣り上げリール８、８ｂ、からガイドリール１４、１４ｂまでを示す。【００１５】  図５は上記側面図。【００１６】  図６は釣り上げリール８の正面図、リール軸に作られた溝により鰹の掛かったハリスを自動的にリールから外す。【００１７】  図７はモータードラム３の側面図巻き上げ巻き下ろしを同時に行なう。【００１８】  図８は竿止めステー１６、竿止めフック１７の側面図竿先の高低を調整する。【００１９】  図９はハリス取り付けフック１０の側面図上側にハリスを掛け、下側に掛けたハリスを外す状態を示す。【００２０】  図１０は竿先リール６の側面図。【００２１】  図１１は竿ジョイントケース５の平面図ジョイントで折り畳みを可能にする。【００２２】  図１２はハリス２０へ餌鰯を付けた状態を示す図。【００２３】  図１３はハリス入れ２３へハリスを入れた状態を示す鳥瞰図。
【発明の効果】
【００２４】  本発明は、以上説明したように構成されているので、以下に記載されるような効果を奏でる。
【００２５】  架台に座って釣るため安全で楽に釣ることができ、船までの釣り揚げは動力で行なうので人力は使う必要なく年齢にとらわれずだれでも鰹漁ができる。
【００２６】  疑似餌を使用せず撒き餌を餌にするので食いつきが良く釣り針に鰹を掛けるのに技術はいらない、釣り人の技術が均一になり釣り揚げにむらがないため釣り揚高の向上があがる。
【００２７】  餌にした鰯が鰹が掛かるたびに釣り針から外れ撒き餌の代わりになり、落ちる間隔のバランスが良くなり撒き餌の効果が向上する。ハリスはハリス掛けフックへ一度に複数付けることができ一度に複数釣り揚げることも可能であり、釣り揚げ高の向上に効果的であるまた一本の釣り針を上げ下げするのでなく二本の釣り針を上げるのみの操作であり釣り揚げ効率は倍増する。この半自動鰹釣機の優れた特徴とするところである。また大型の魚が来てもハリスを変えるのみでよい。
【図面の簡単な説明】
【図１】半自動鰹釣機本体側面を示す図。
【図２】竿先部側面を示す図。
【図３】半自動鰹釣機本体正面を示す図。
【図４】架台上部平面を示す図。
【図５】架台上部側面を示す側面図。
【図６】釣り上げリール正面を示す図。
【図７】モータードラム側面を示す図。
【図８】竿先止めステー、フック側面を示す図。
【図９】ハリス取り付けフック側面を示す図。
【図１０】竿先リール側面を示す図。
【図１１】竿ジョイントケース平面を示す図。
【図１２】ハリスへ餌鰯を付けた実施を示す図。
【図１３】ハリス入れにハリスを入れた状態を示す図。
【符号の説明】
１、    架台
２、    駆動モーター
３、    モータードラム
４、    竿
５、    ジョイントケース
６、    竿先リール
７、    道糸
８、    釣り上げリール
９、    ハリス外しフック
１０、  ハリス取り付けフック
１１、  スイッチフック
１２、  スイッチ
１３、  スイッチフックケース
１４、  ガイドリール
１５、  ピン
１６、  竿止めステー
１７、  竿止めフック
１８、  ハリスガイド
１９、  餌入れ
２０、  ハリス
２１、  船縁
２２、  自在脚
２３、  ハリス入れ
２４、  腰掛け
２５、  床
２６、  海面
２７、  餌鰯
２８、  鰹
２９、  取り付けボルト
３０、  スイッチフック引き寄せスプリング
３１、  スイッチフックシリンダー
３２、  対称付属品はｂを記入
【図１】
2005204640.tif 000003
【図２】
2005204640.tif 000004
【図３】
2005204640.tif 000005
【図４】
2005204640.tif 000006
【図５】
2005204640.tif 000007
【図６】
2005204640.tif 000008
【図７】
2005204640.tif 000009
【図８】
2005204640.tif 000010
【図９】
2005204640.tif 000011
【図１０】
2005204640.tif 000012
【図１１】
2005204640.tif 000013
【図１２】
2005204640.tif 000014
【図１３】
2005204640.tif 000015